(57)【要約】【課題】  構造およびパネルの向きの変更作業が極めて簡単であり、しかも支柱間の前後方向の換気を図ることができるとともに、支柱間より前後両方向に延出する棚板を形成することができるようにしたパネル装置を提供する。【解決手段】床面上に立設した左右１対の支柱１、１間に、複数のパネル３を上下方向に多段状に装着したパネル装置において、少なくともいずれかのパネル３の両側面に、非円形断面の支持軸７を突設し、かつ左右の支柱１、１の対向面に、パネル３が、垂直方向を向く向きと、それと交差する方向を向く向きとにおいて、支持軸７を回転不能に受支しうる回り止め溝９を設ける。【選択図】      図４
2006152760.tif 000002
【特許請求の範囲】
【請求項１】
床面上に立設された左右１対の支柱間に、複数のパネルを上下方向に多段状に装着したパネル装置において、
いずれかのパネルの両側面より、非円形断面の支持軸を突設し、かつ左右の支柱の対向面に、前記パネルを、垂直方向と、それと交差する方向とした状態とにおいて、前記支持軸を回転不能に受支しうる回り止め溝を設けたことを特徴とするパネル装置。
【請求項２】
左右の支柱の対向面に、回り止め溝の上端に連通し、かつ支持軸を回転自在に挿通しうる大径孔を設けたことを特徴とする請求項１記載のパネル装置。
【請求項３】
左右の支柱の対向面に、回り止め溝の上端に連通するとともに、前記支柱の前面または後面に開口する出入溝を設けたことを特徴とする請求項１または２記載のパネル装置。
【請求項４】
回り止め溝を、上端が支柱の前面または後面に開口するように斜めに設けたことを特徴とする請求項１記載のパネル装置。
【請求項５】
支持軸の外周面に、間隔の小さい少なくとも２対の平行面を形成し、いずれか一方の１対の平行面が回り止め溝の内面に摺接するようにして、各支持軸を回り止め溝に受支させることにより、パネルを、垂直方向として両支柱間に保持し、かつ他方の対の平行面が回り止め溝の内面に摺接するようにして、各支持軸を回り止め溝に受支させることにより、パネルを、垂直方向と交差する方向に向けて両支柱間に保持されるようにしたことを特徴とする請求項１〜４のいずれかに記載のパネル装置。
【請求項６】
支持軸の断面形状を正方形とすることにより、パネルを、垂直方向と、水平方向とにおいて、両支柱間に保持しうるようにしたことを特徴とする請求項１〜５のいずれかに記載のパネル装置。
【請求項７】
支持軸の断面形状を正六角形とすることにより、パネルを、垂直方向と、前下向き、または前上向きに傾斜した状態とにおいて、両支柱間に保持しうるようにしたことを特徴とする請求項１〜５のいずれかに記載のパネル装置。
【請求項８】
支持軸の断面形状を正八角形とすることにより、パネルを、垂直方向と、水平方向と、前下向き、または前上向きに傾斜した状態とにおいて、両支柱間に保持しうるようにしたことを特徴とする請求項１〜５のいずれかに記載のパネル装置。
【請求項９】
パネルを、２枚の板材を、支持軸を挟んで互いに貼り合わせて形成したことを特徴とする請求項１〜８のいずれかに記載のパネル装置。
【発明の詳細な説明】
【技術分野】
【０００１】
本発明は、パネルとしての機能と棚等としての機能との双方の機能を選択的に併せ持つパネル装置、特に、衣食住製品を取り扱う総合スーパーやスポーツ用品店等において、仕切壁としても、また商品陳列棚としても用いることのできるパネル装置に関する。
【背景技術】
【０００２】
従来のこの種のパネル装置としては、間仕切パネルの一部を、前下方に開閉しうるようにして、開いたときに、作業台として使用できるようにしたものがある（例えば、特許文献１参照）。
【特許文献１】特開２００３−２５３７９２号公報（図１、図４）
【発明の開示】
【発明が解決しようとする課題】
【０００３】
しかし、上記特許文献１に記載されているものでは、パネルの一部を閉止位置で保持する手段や、開いた位置で保持する手段等が必要であり、構造が複雑であるだけでなく、間仕切パネルの片面は常時閉塞されているため、間仕切パネルを通して換気することはできず、しかも、間仕切パネルを前後方向に貫通するようにして棚板を架設することもできない等の問題がある。
【０００４】
本発明は、従来の技術が有する上記のような問題点に鑑みてなされたもので、構造およびパネルの向きの変更作業が極めて簡単であり、しかも支柱間の前後方向の換気を図ることができるとともに、支柱間より前後両方向に延出する棚板を形成することができるようにしたパネル装置を提供することを目的としている。
【課題を解決するための手段】
【０００５】
本発明によると、上記課題は、次のようにして解決される。
(１)  床面上に立設された左右１対の支柱間に、複数のパネルを上下方向に多段状に装着したパネル装置において、いずれかのパネルの両側面より、非円形断面の支持軸を突設し、かつ左右の支柱の対向面に、前記パネルを、垂直方向と、それと交差する方向とした状態とにおいて、前記支持軸を回転不能に受支しうる回り止め溝を設ける。
【０００６】
(２)  上記(１)項において、左右の支柱の対向面に、回り止め溝の上端に連通し、かつ支持軸を回転自在に挿通しうる大径孔を設ける。
【０００７】
(３)  上記(１)または(２)項において、左右の支柱の対向面に、回り止め溝の上端に連通するとともに、前記支柱の前面または後面に開口する出入溝を設ける。
【０００８】
(４)  上記(１)項において、回り止め溝を、上端が支柱の前面または後面に開口するように斜めに設ける。
【０００９】
(５)  上記(１)〜(４)項のいずれかにおいて、支持軸の外周面に、間隔の小さい少なくとも２対の平行面を形成し、いずれか一方の１対の平行面が回り止め溝の内面に摺接するようにして、各支持軸を回り止め溝に受支させることにより、パネルを、垂直方向として両支柱間に保持し、かつ他方の対の平行面が回り止め溝の内面に摺接するようにして、各支持軸を回り止め溝に受支させることにより、パネルを、垂直方向と交差する方向に向けて両支柱間に保持されるようにする。
【００１０】
(６)  上記(１)〜(５)項のいずれかにおいて、支持軸の断面形状を正方形とすることにより、パネルを、垂直方向と、水平方向とにおいて、両支柱間に保持しうるようにする。
【００１１】
(７)  上記(１)〜(５)項のいずれかにおいて、支持軸の断面形状を正六角形とすることにより、パネルを、垂直方向と、前下向き、または前上向きに傾斜した状態とにおいて、両支柱間に保持しうるようにする。
【００１２】
(８)  上記(１)〜(５)項のいずれかにおいて、支持軸の断面形状を正八角形とすることにより、パネルを、垂直方向と、水平方向と、前下向き、または前上向きに傾斜した状態とにおいて、両支柱間に保持しうるようにする。
【００１３】
(９)  上記(１)〜(８)項のいずれかにおいて、パネルを、２枚の板材を、支持軸を挟んで互いに貼り合わせて形成する。
【発明の効果】
【００１４】
請求項１記載の発明によると、パネルの向きを変えて、非円形断面の支持軸を回り止め溝に係合させるだけで、パネルを、垂直方向に向けて、前後の空間を仕切る間仕切パネルとして使用したり、ほぼ水平として、物品を載置する棚板として使用したり、または前下方もしくは前上方に傾斜させて、前後方向の換気のためのルーバー、もしくは前後方向に見通すことができる間仕切等として使用したりすることができる。したがって、普段はパネル装置を間仕切りとして使用しておき、繁忙期には、パネルを水平として、商品の陳列棚として使用することができ、売場等のレイアウト変更やディスプレイの変更等に便利である。
また、支柱に回り止め溝を設け、かつパネルの両側面に非円形断面の支持軸を突設するだけでよいので、構造が簡単であり、しかも非円形断面の支持軸を回り止め溝から外し、パネルの向きを変えて、再度支持軸を回り止め溝に係合させるだけで、パネルの向きを容易かつ迅速に変更することができ、作業性がよい。
さらに、パネルを棚板として使用する際に、それを支持するための棚板ブラケット等を設ける必要がないので構造を簡素化しうるとともに、美麗な外観を呈することができる。
なお、支持軸をパネルの側面のほぼ中央に設ければ、支柱間より前後両方向に延出する棚板を形成することもできる。
【００１５】
請求項２記載の発明によると、パネルを若干持ち上げて、支持軸を回り止め溝から大径孔に移動し、そこで、パネルの向きを変えて、再度支持軸を回り止め溝に係合させるだけで、パネルを完全に支柱から外すことなく、パネルの向きを簡単かつ迅速に変更することができ、作業性がよい。
【００１６】
請求項３記載の発明によると、出入溝を通して、支持軸を支柱の回り止め溝に出し入れすることができるので、支柱へのパネルの着脱を容易に行うことができる。
【００１７】
請求項４記載の発明によると、出入溝を特別に設ける必要がなく、構造がより簡単になるとともに、回り止め溝に支持軸を直線的に出し入れすることができるので、パネルの着脱および向きの変更作業がより簡単になる。
【００１８】
請求項５記載の発明によると、パネルの向きを、垂直方向を向く向きと、それと交差する向きとの少なくとも２つの向きに切り換えることができ、いずれの場合も、１対の平行面が回り止め溝の内面に摺接するので、支持軸およびそれと一体のパネルの回動やがたつきが防止される。
【００１９】
請求項６記載の発明によると、支持軸の断面形状を正方形としたことにより、パネルを、垂直方向を向く向きと、水平方向を向く向きとに切り換えることができる。
【００２０】
請求項７記載の発明によると、支持軸の断面形状を正六角形としたことにより、パネルを、垂直方向を向く向きと、前下方を向く向きと、前上方を向く向きとに切り換えることができる。
【００２１】
請求項８記載の発明によると、支持軸の断面形状を正八角形としたことにより、パネルを、垂直方向を向く向きと、水平方向を向く向きと、前下方を向く向きと、前上方を向く向きとに切り換えることができる。
【００２２】
請求項９記載の発明によると、パネルを、２枚の板材を、支持軸を挟んで互いに貼り合わせて形成したので、垂直方向に向けて間仕切りとしたとき、および傾斜させたときの前後両面の体裁がよい。またその２枚の板材の色彩や材質を変えることにより、各種のユニークなデザインの間仕切りや棚を形成することができる。
【発明を実施するための最良の形態】
【００２３】
以下、本発明の実施形態を、図面に基づいて説明する。
図１〜図５は、本発明の第１の実施形態を示す。
図１に示すように、このパネル装置は、オフィス等の室内空間の天井面と床面(いずれも図示略)との間に立設した左右１対の角管よりなる支柱(１)(１)の上端部同士と下端部同士を、左右方向を向く上下１対ずつの横杆(２)(２)により連結し、上下部の横杆(２)(２)の間における両支柱(１)(１)間に、複数のパネル(３)を、上下方向に若干の間隙(ｄ)をおいて、かつそれぞれが垂直方向を向く向きとほぼ水平をなす向きとに、向きの変更可能として多段状に装着したものよりなっている。
なお、図１は、中央のパネル(３)のみを水平の向きとし、その他のパネル(３)は垂直方向を向くようにして、両支柱(１)(１)間に装着した状態を示している。
【００２４】
各パネル(３)は、図５に示すように、方形をなす４辺の縁を一方に２度直角に折り曲げて縁片(４)を形成し、かつ両側部の縁片(４)(４)の中央に矩形の切り欠き(５)を設けた金属板よりなる２枚の板材(６)(６)を互いに向き合わせて、かつ各切り欠き(５)に断面形状が正方形をなす角管とした支持軸(７)が嵌合するようにして支持軸(７)を挟み、さらにその支持軸(７)の両端部が両板材(６)(６)の両側面よりわずかに突出するようにして接合し、その接合部分の縁を溶接したものよりなっている。
支持軸(７)における１対の平行面(7a)(7a)は、板材(６)の面と平行をなし、かつもう１対の平行面(7b)(7b)は、板材(６)と直交する方向を向くようにして、支持軸(７)は両板材(６)(６)に固着されている。
【００２５】
図２〜図４に示すように、左右の支柱(１)(１)の対向面における上下複数箇所には、支持軸(７)が自由に回転できる程度の径の大径孔(８)と、その下端から垂下し、幅を支持軸(７)の対向面間の間隔とほぼ等しくすることにより、支持軸(７)が嵌合したとき、回らないようにした回り止め溝(９)とが設けられている。
大径孔(８)は、円形とするのが好ましいが、正方形またはその他の形状とすることもできる。
【００２６】
かくして、図４に実線で示すように、支持軸(７)の左右の端部を、その１対の平行面(7b)(7b)が回り止め溝(９)の内面に摺接するようにして、回り止め溝(９)に受支させることにより、パネル(３)をほぼ水平方向を向くようにして保持させることができる。
【００２７】
この状態から、パネル(３)を若干持ち上げて、支持軸(７)を回り止め溝(９)から大径孔(８)に移動し、そこで、パネル(３)を支持軸(７)を中心として９０°回動させて(その途中の状態を図４に想像線で示す)、再度支持軸(７)を、その１対の平行面(7a)(7a)が回り止め溝(９)の内面に摺接するようにして、回り止め溝(９)に受支させることにより、パネル(３)を、図４に想像線で示すように、垂直方向を向くようにして保持させることができる。
この状態から、パネル(３)を再度水平方向を向く状態に戻したい場合は、上記と同様に、パネル(３)を若干持ち上げて、支持軸(７)を回り止め溝(９)から大径孔(８)に移動し、そこで、パネル(３)を支持軸(７)を中心として９０°回動させて、再度支持軸(７)を、その１対の平行面(7b)(7b)が回り止め溝(９)の内面に摺接するようにして、回り止め溝(９)に受支させればよい。
【００２８】
図６は、本発明の第２の実施形態を示す。なお、第１の実施形態におけるのと同一の部材には、同一の符号を付して図示するに止め、それらについての詳細な説明は省略する(第３以後の実施形態においても同じ)。
【００２９】
この例では、両支柱(１)(１)の対向面における各大径孔(８)の後縁に、後方を向き、かつ後端が支柱(１)の後面に開口する出入溝(10)を設けてある。
第１の実施形態においては、すべての横杆(２)を両支柱(１)(１)から外して、両支柱(１)(１)を分解しなければ、各パネル(３)を両支柱(１)(１)から取り外すことができないが、この例のように、出入溝(10)を設けることにより、この出入溝(10)を通して、支持軸(７)を、大径孔(８)を経由して、回り止め溝(９)に出し入れすることができるので、支柱(１)(１)へのパネル(３)の着脱を容易に行うことができる。
なお、大径孔(８)を省略し、出入溝(10)を、回り止め溝(９)の上端に連通するようにしてもよい。この場合は、支持軸(７)を出入溝(10)より支柱(１)外に外してから、パネル(３)の向きを変更し、パネル(３)を所望の向きに向けた状態で、支持軸(７)を出入溝(10)より回り止め溝(９)へ挿入する。
【００３０】
図７は、本発明の第３の実施形態を示す。
この例では、回り止め溝(９)を、上端が支柱(１)の後面(または前面)に開口するように後上向き傾斜するように斜めに設けるとともに、支持軸(７)のパネル(３)への取付角度を、回り止め溝(９)の傾斜角度(この例では４５°)に合わせて変更してある。
【００３１】
このような構成とすると、第２の実施形態のように、出入溝(10)を特別に設ける必要がなく、構造がより簡単になるとともに、回り止め溝(９)に支持軸(７)を直線的に出し入れすることができるので、パネルの着脱および向きの変更作業がより簡単になる。
【００３２】
図８は、本発明の第３の実施形態を示す。
この例では、支持軸(11)の断面形状を正六角形とし、その１対の平行面(11a)(11a)が回り止め溝(９)の内面に摺接するようにして、支持軸(11)を回り止め溝(９)に受支させることにより、パネル(３)を、図８に破線で示すように、垂直方向を向くようにして保持させることができ、他の１対の平行面(11b)(11b)が回り止め溝(９)の内面に摺接するようにして、支持軸(11)を回り止め溝(９)に受支させることにより、パネル(３)を、図８に想像線で示すように、前下向き傾斜状態で保持させることができ、さらに、残りの１対の平行面(11c)(11c)が回り止め溝(９)の内面に摺接するようにして、支持軸(11)を回り止め溝(９)に受支させることにより、パネル(３)を、図８に想像線で示すように、前上向き傾斜状態で保持させることができるようにしてある。
【００３３】
図９は、本発明の第４の実施形態を示す。
この例では、支持軸(12)の断面形状を正八角形とし、その１対の平行面(12a)(12a)が回り止め溝(９)の内面に摺接するようにして、支持軸(12)を回り止め溝(９)に受支させることにより、パネル(３)を、図８に破線で示すように、垂直方向を向くようにして保持させることができ、他の１対の平行面(12b)(12b)が回り止め溝(９)の内面に摺接するようにして、支持軸(12)を回り止め溝(９)に受支させることにより、パネル(３)を、図８に想像線で示すように、前下向き傾斜状態で保持させることができ、さらに別の１対の平行面(12c)(12c)が回り止め溝(９)の内面に摺接するようにして、支持軸(12)を回り止め溝(９)に受支させることにより、パネル(３)を、図８に想像線で示すように、水平方向を向くようにして保持させることができ、残りの１対の平行面(12d)(12d)が回り止め溝(９)の内面に摺接するようにして、支持軸(12)を回り止め溝(９)に受支させることにより、パネル(３)を、図８に想像線で示すように、前上向き傾斜状態で保持させることができる。
【００３４】
なお、上記の実施形態においては、すべてのパネル(３)を、同一構造として、いずれのパネル(３)も垂直方向を向く向きと、それと交差する方向を向く向きとに取付姿勢を変更しうるようにしてあるが、例えば、いずれかのパネル(３)のみをこのように取付姿勢変更可能とし、他のパネルは、直接両支柱(１)(１)に固着してもよい。
【図面の簡単な説明】
【００３５】
【図１】本発明の第１の実施形態の外観斜視図である。
【図２】同じく、要部の拡大縦断側面図である。
【図３】同じく、図２のIII−III線から見た拡大縦断正面図である。
【図４】同じく、図２のIV−IV線から見た縦断側面図である。
【図５】同じく、パネルの分解斜視図である。
【図６】本発明の第２の実施形態における、図４と同様の縦断側面図である。
【図７】本発明の第３の実施形態における、図４と同様の縦断側面図である。
【図８】本発明の第４の実施形態における、図４と同様の縦断側面図である。
【図９】本発明の第５の実施形態における、図４と同様の縦断側面図である。
【符号の説明】
【００３６】
(１)支柱
(２)横杆
(３)パネル
(４)縁片
(５)切り欠き
(６)板材
(７)支持軸
(7a)(7b)平行面
(８)大径孔
(９)回り止め溝
(10)出入溝
(11)(12)支持軸
(11a)(11b)(11c)(12a)(12b)(12c)(12d)平行面
【図１】
2006152760.tif 000003
【図２】
2006152760.tif 000004
【図３】
2006152760.tif 000005
【図４】
2006152760.tif 000006
【図５】
2006152760.tif 000007
【図６】
2006152760.tif 000008
【図７】
2006152760.tif 000009
【図８】
2006152760.tif 000010
【図９】
2006152760.tif 000011